(57)【要約】【課題】 浮き下長さの調整を自動的に行い得る釣り用錘を提供する。【解決手段】所要長さを有した錘本体３６において軸方向に貫通した通孔３２に、道糸２４が下方から挿通される。そして、金属線等によって略矩形状に形成された枠体４２における支軸３８を、錘本体３６の重量均衡点Ｇより偏倚した位置に穿設された軸孔３４に挿通して、該錘本体３６は枠体４２の内部に自由懸吊状態で支持される。また、枠体４２の下部には、通孔３２の上方から引き出された道糸２４を下方へ案内する糸案内４０が設けられる。そして、錘本体３６が自由懸吊状態から回転に移行し、通孔３２の道糸挿入側が上方を指向したタイミングで、錘本体３６の回転が回転阻止部４４によって阻止されるよう構成してある。【選択図】図１
2006042639.tif 000002
【特許請求の範囲】
【請求項１】
軸方向に貫通して道糸(24)の挿通を許容する通孔(32)及び、重量均衡点(G)より偏倚した位置に穿設されて、前記通孔(32)に対し交差している軸孔(34)を有する所要長の錘本体(36)と、
前記軸孔(34)に挿入されて前記錘本体(36)を常には自由懸吊状態で支持する支軸(38)及び、この自由懸吊状態にある錘本体(36)の通孔(32)に下から挿入され上から引き出した道糸(24)を下方へ案内する糸案内(40)を有する枠体(42,52)と、
前記錘本体(36)が自由懸吊状態から前記支軸(38)を中心とする回転に移行して、前記通孔(32)の道糸挿入側が上方を指向したタイミングで、該錘本体(36)の回転を阻止する回転阻止部(44)とを備え、
前記枠体(42,52)の上部に釣り用浮き(14,56)を取り付けるよう構成した
ことを特徴とする釣り用錘。
【請求項２】
前記釣り用浮き(56)は、前記枠体(52)の上部に一体的に取り付けられる請求項１記載の釣り用錘。
【請求項３】
前記釣り用浮き(14)は、前記枠体(42)の上部に着脱自在に取り付けられる請求項１に記載の釣り用錘。
【請求項４】
前記枠体(42)と前記釣り用浮き(14)との取り付け部に、喫水線を調整するための第２の錘(64)が必要に応じて設けられる請求項３に記載の釣り用錘。
【請求項５】
前記錘本体(36)に穿設される軸孔(34)は、該錘本体(36)における長手方向の重量均衡点(G)よりも上方に位置している請求項１〜４の何れかに記載の釣り用錘。
【請求項６】
前記枠体(42,52)には、前記糸案内(40)により案内された道糸(24)を、更に下方へ案内する第２の糸案内(62)が設けられる請求項１〜５の何れかに記載の釣り用錘。
【請求項７】
前記錘本体(36)は、前記釣り用浮き(14,56)に要求される喫水線を維持し得る重量に設定される請求項１〜６の何れかに記載の釣り用錘。
【発明の詳細な説明】
【技術分野】
【０００１】
この発明は、釣り用錘に関し、更に詳細には、主に海底の濁りや岩礁の間を好む根魚を釣る際に好適に使用される釣り用錘に関するものである。
【背景技術】
【０００２】
例えば黒鯛釣りに関しては、黒鯛の習性、生息環境、捕食習慣等を熟知する必要があり、このため置かれた状況に最も適した釣法が各地域に存在している。警戒心の強い黒鯛は海水の濁りを好むので、黒鯛が好むカニ、海老、貝類、虫類が生息する海底に、釣餌を浮き上がらせることなく如何に長く留め置くかが釣果に大きく左右するものである。
【０００３】
この黒鯛釣りの一種として「紀州釣り」が、和歌山県を中心に盛んに行なわれている。図７は、紀州釣りの仕方を示した概略説明図である。紀州釣りを行なう際には、先ず始めに、オキアミ、ボケ等の黒鯛が好む釣餌１０を、ぬか及び砂で包んでピンポン玉〜テニスボール大に形成した、所謂「ぬか砂ダンゴ」１２を作成する。そして、このぬか砂ダンゴ１２の内部の釣餌１０に釣り針をセットし、海中の目的のポイントへ向けて投下する。ぬか砂ダンゴ１２は釣り用浮き１４の浮力よりも重く設定されているので、着水後、その自重によって沈降し、図７(ａ)に示すように、やがて海底１６に着底する。着底すると、その際のショックでぬか砂ダンゴ１２は周りの海水に溶け出して濁り１８を演出し、この濁り１８を好む黒鯛２０等をおびき寄せる。時間の経過と共に、前記ぬか砂ダンゴ１２は更に海水に溶け出し、前記釣餌１０が該ダンゴ１２の内部から飛び出すと、黒鯛２０は釣餌１０に食らい付く習性を有している。なお、図７における符号２２は海面を示している。
【０００４】
このように紀州釣りは、前記ぬか砂ダンゴ１２を所要のポイントにおける海底１６に着底させて行なうものであるが、図７(ａ)に示すように、釣り用浮き１４とぬか砂ダンゴ１２との離間距離Ｈ(浮き下長さ)を、投下するポイントの水深Ｄに合わせて調整する必要がある。すなわち、従来の紀州釣りでは、投下するポイントの水深Ｄを予想して、釣り用浮き１４を道糸２４の適宜の位置に固定する浮止糸２６を用いて、浮き下長さＨを調整する方法が一般的であった。しかし、投下ポイントの水深Ｄを予測するのは非常に難しく、例えば、その予測を誤って浮き下長さＨを該水深Ｄより短く設定すると、図７(ｂ)に示すように、釣り用浮き１４が海面２２より沈んでしまい、浮き下の調整を再び行なわなければならなかった。また反対に、浮き下長さＨを水深Ｄよりも長く設定してしまった場合には、図７(ｃ)に示すように、釣り用浮き１４の下方に取付けた錘２８からぬか砂ダンゴ１２までの道糸２４が余剰となって弛み、釣り用浮き１４は海面２２に倒れた状態で浮遊してしまうので、黒鯛２０等が食らい付いた際の魚信が伝わらなくなってしまう。しかも海底１６は、一般に起伏に富んでおり、これに潮流、潮の干満等の要因を加味して、適切な浮き下長さＨを予測するのはベテランでもなかなか困難であり、結果的に、何度も浮き下調整を行なう必要を生じて煩わしかった。
【０００５】
そこで、このような問題を解消するため、特許文献１には、浮き下の長さＨを自動的に調整して、釣り人が煩雑な浮き下の調整作業をする必要のない紀州釣り用の浮きが提案されている。
【特許文献１】特開２００１−１３６８８０号公報
【発明の開示】
【発明が解決しようとする課題】
【０００６】
ところが特許文献１に開示される浮きは、非常に多くの部材から構成されており、従って構造的にも非常に複雑となって、製造コストが嵩んでしまうという問題があった。また、複雑な構造に起因して、不具合が発生したり、壊れたりし易く、メンテナンスや修理を頻繁に行なう必要があった。
【０００７】
そこで本発明は、前述した従来の技術に内在している前記課題に鑑み、これを好適に解決するべく提案されたものであって、簡単な構造で、浮き下調整を自動で行ない得る釣り用錘を提供することを目的とする。
【課題を解決するための手段】
【０００８】
前記課題を克服し、所期の目的を達成するため、本発明に係る釣り用錘は、
軸方向に貫通して道糸の挿通を許容する通孔及び、重量均衡点より偏倚した位置に穿設されて、前記通孔に対し交差している軸孔を有する所要長の錘本体と、
前記軸孔に挿入されて前記錘本体を常には自由懸吊状態で支持する支軸及び、この自由懸吊状態にある錘本体の通孔に下から挿入され上から引き出した道糸を下方へ案内する糸案内を有する枠体と、
前記錘本体が自由懸吊状態から前記支軸を中心とする回転に移行して、前記通孔の道糸挿入側が上方を指向したタイミングで、該錘本体の回転を阻止する回転阻止部とを備え、
前記枠体の上部に釣り用浮きを取り付けるよう構成したことを特徴とする。
【発明の効果】
【０００９】
本発明に係る釣り用錘によれば、浮き下調整が自動的に行なわれるので、釣り人が自ら行なっていた煩雑な浮き下の調整作業をする必要がなく、釣り人は釣りに専念することができる。また、潮流や潮の干満等によって水位が変化したり、ぬか砂ダンゴが移動したりした際にも、自動的に浮き下調整が行なわれるので、釣りを中断する必要もない。更に、本発明に係る釣り用錘は、その構造が簡単であるので、製造コストが低廉になると共に、不具合や故障が発生しにくく、また、メンテナンスも容易である等の有益な効果が奏される。
【００１０】
本発明に係る釣り用錘は、前記枠体の上部に釣り用浮きを一体的に取付けたので、釣りを行なう度に釣り用錘を浮きに取付ける必要がなく、そのまま使用できる。勿論、前記枠体の上部に釣り用浮きを着脱自在に取付けるよう構成すれば、釣りを行なう状況に合わせて、錘本体の重さや釣り用浮きのタイプを変更することが可能となる。
【００１１】
また、前記枠体に第２の糸案内を設けることで、糸案内から案内された道糸を、更に円滑に下方へ案内することが可能となり、道糸が釣り用錘に絡まるのを確実に防止し得る。更に前記錘本体は、釣り用浮きに要求される喫水線を維持し得る重量に設定されているので、好適に釣りを行なうことができる。なお、前記枠体と釣り用浮きとが着脱可能に取り付けられる別体構造のものでは、その取り付け部に調整用の第２の錘を設けることで、釣り用錘と釣り用浮きとの微妙な重量バランスを調整することが可能である。
【発明を実施するための最良の形態】
【００１２】
次に、本発明に係る釣り用錘につき、好適な実施例を挙げて、添付図面を参照しながら以下説明する。
【実施例】
【００１３】
(第１実施例)
図１は、本発明の第１実施例に係る釣り用錘３０を示す斜視図である。この釣り用錘３０は、道糸２４の挿通を許容する通孔３２と、重量均衡点Ｇより偏倚した位置に穿設された軸孔３４とを有する所要長の錘本体３６と、該錘本体３６を常には自由懸吊状態で支持する支軸３８と、錘本体３６の上方から引き出した道糸２４を下方へ案内するための糸案内４０とを有する枠体４２と、前記錘本体３６の回転を所要位置で阻止する回転阻止部４４とから構成されている。
【００１４】
錘本体３６は、海水により錆びたり侵されたりすることのない質量の充分ある金属、例えば鉛やステンレス等を材質とし(鉛は環境汚染を考慮すると推奨されない)、その軸方向に貫通して道糸２４の挿通を許容する通孔３２と、重量均衡点Ｇより偏倚した位置に穿設されて、前記通孔３２に対し交差している軸孔３４とを有している。すなわち、錘本体３６は、軸方向に所要長さを有する紡錘形状をなし、その重量は、釣り用浮き１４の喫水線を海面２２上に維持し得るよう適度に設定されている。また、この錘本体３６には、その軸方向に貫通する所要径の通孔３２が開設されており、これに道糸２４が往き来自在に挿通し得るようになっている。この通孔３２は、前記錘本体３６が後述の支持軸３８により支持されて自立した場合に下方に位置する下方挿入口３２ａと、上方に位置する上方引出口３２ｂとを有している。そして図１に示すように、錘本体３６を自由懸吊状態で直立させて、該下方挿入口３２ａから道糸２４を挿入し、上方引出口３２ｂから該道糸２４を引き出すようになっている。
【００１５】
更に、前記通孔３２と交差、例えば直交する方向で、前記錘本体３６の重量均衡点Ｇよりも偏倚した位置に軸孔３４が穿設され、後述する支軸３８をこれに挿通することで錘本体３６を常には自由懸吊状態で直立支持するようになっている。すなわち軸孔３４は、錘本体３６の長さ方向における重量均衡点Ｇより上方に穿設されている。具体的な穿設位置としては、例えば、図２(ａ)の側面図に示すように、自由懸吊状態にある錘本体３６の長手方向に３本の分割線ｌ1,ｌ2,ｌ3を想定すると、最も上位に引かれる分割線ｌ1上に前記軸孔３４を設けるのが好ましい。このように、錘本体３６の重量均衡点Ｇよりも上方へ偏倚して軸孔３４を設けることで、錘本体３６が図２(ｂ)の如く約半回転しても、その自重によって再び自由懸吊状態に復帰することが可能となる。なお、前記軸孔３４を重量均衡点Ｇの余り近い位置に穿設すると、錘本体３６が自由懸吊状態へ復帰するのが困難になるため、前記分割線ｌ1近辺若しくはそれより上方に穿設するのが好ましい。
【００１６】
前記枠体４２は、軸孔３４に挿入されて錘本体３６を常には自由懸吊状態で支持する支軸３８と、この自由懸吊状態にある錘本体３６の通孔３２に下から挿入されて上から引き出した道糸２４を下方へ案内するための糸案内４０とを有している。すなわち、枠体４２は、ステンレス鋼等の金属線を略矩形状に折曲形成したものであって、その金属線が囲む領域内に支軸３８(後述)を介して前記錘本体３６が回転自在に配設される。なお、前記錘本体３６が干渉しないよう、前記枠体４２は該錘本体３６の周囲を余裕をもって囲むよう設定されている。また、前記枠体４２の材質として、形状記憶合金を採用してもよい。すなわち、例えば海水の温度で元の形状に復帰し得る変態点を記憶させた形状記憶合金の線材を枠体４２に使用することで、携行中や使用中に該枠体４２が変形したとしても、海水に投入すれば直ちに元の形状に復帰するので、修理やメンテナンス等を行なう必要がない利点がある。
【００１７】
前記錘本体３６を自由懸吊状態で支持する支軸３８は、前記枠体４２の長手方向に延在する両辺４２ａ,４２ａを結合する形で水平に架設されている。すなわち、前記軸孔３４の内径より小さい外径に設定した支軸３８を該軸孔３４に挿通することで、前記錘本体３６は回転自在に支持されて、常にはその自重により前記下方挿入口３２ａを下方に指向させた自由懸吊状態となる。また、前記枠体４２の下辺中央位置には、前記上方引出口３２ｂから引き出された道糸２４を下方へ案内するリング状の糸案内４０が設けられ、該道糸２４が錘本体３６や枠体４２等に絡まらないよう構成されている。なお、この回転阻止部４４の上部には、釣り用浮き１４の下端と係合するリング状の取付部４８が設けられ、釣り用浮き１４を釣り用錘３０に着脱自在に取付け得るよう構成されている。そして、図１に示すように、前記枠体４２と釣り用浮き１４との取り付け部に、喫水線を調整するための第２の錘６４が設けられ、釣り用錘３０と釣り用浮き１４との微妙な重量バランスを調整し得るようになっている。
【００１８】
回転阻止部４４は、錘本体３６が自由懸吊状態から前記支軸３８を中心とする回転に移行し、前記通孔３２の下方挿入口３２ａが上方を指向したタイミングで、該錘本体３６の回転を阻止するよう構成されている。すなわち、第１実施例においては、該枠体４２の上辺中央位置が回転阻止部４４となっている。そして、図２(ｂ)に示すように、前記錘本体３６が回転し、前記下方挿入口３２ａが上方へ指向した際に、該回転阻止部４４が錘本体３６の下部と当接することで、該錘本体３６の回転を停止させるようになっている。すなわち、前記錘本体３６が約半回転したところで回転阻止部４４と当接し、前記下方挿入口３２ａが上方へ指向した姿勢となることで、図２(ａ)の如く釣り用錘３６と捩れ状態で係合していた道糸２４は、図２(ｂ)に示すように、その捩れが解消されて、釣り用錘３６は道糸２４に沿って自由に移動することができる。
【００１９】
なお、この回転阻止部４４の形状および取付け位置は、第１実施例のものに限定される訳でなく、前記錘本体３６が回転して前記下方挿入口３２ａが上方へ指向した際に、その回転を阻止することが可能であればよく、また、釣り用浮き１４の下端部と錘本体３６とが当接するよう構成して、該釣り用浮き１４の下端部を回転阻止部４４として機能させてもよい。
【００２０】
(第１実施例の作用)
次に、前述した第１実施例に係る釣り用錘３０の作用について説明する。
【００２１】
釣り用錘３０を道糸２４に取付ける際には、図１に示すように、自由懸吊状態にある錘本体３６の下方挿入口３２ａから挿入した道糸２４を、上方引出口３２ｂより引き出して、Ｕターンさせた後に下方に位置する糸案内４０へ挿通させる。このように道糸２４を挿通することで、図２(ａ)に示すように、該道糸２４は捩れ状態となって釣り用錘３０と係合し、該釣り用錘３０は道糸２４の所要位置に固定される。そして、前記枠体４２の上部に設けられた取付部４８を釣り用浮き１４の下端に係支させて、釣り用錘３０を該浮き１４に取付けると共に、前記糸案内４０によって下方へ案内された道糸２４の端部に前述のぬか砂ダンゴ１２を取付ける。なお、釣り用錘３０の道糸２４への取付け位置は、投下する前の釣り用錘３０とぬか砂ダンゴ１２との離間距離が、予想される投下ポイントの水深よりも短くなるように設定すればよい。
【００２２】
そして、前記釣り用錘３０を、ぬか砂ダンゴ１２と共に所要のポイントに目掛けて投下する。海中に投下された釣り用錘３０は、図３(ａ)に示すように、ぬか砂ダンゴ１２の重量によって釣り用浮き１４と共に海中へ沈降する。その際、図２(ｂ)に示すように、ぬか砂ダンゴ１２の重さによって錘本体３０は回転阻止部４４と当接するまで約半回転し、前記通孔３２の下方挿入口３２ａを上方へ指向させる。すなわち、錘本体３６が自由懸吊状態から半回転することで道糸２４の捩れが解消され、釣り用錘３０は、前記ぬか砂ダンゴ１２によって下方へ引っ張られつつも、釣り用浮き１４の浮力によって、該道糸２４に沿って浮上する。そして、前記ぬか砂ダンゴ１２が海底１６に着底すると、図３(ｂ)に示すように、釣り用錘３０は釣り用浮き１４の浮力によって、該釣り用浮き１４と共に道糸２４に沿って海面２２へ向けて浮上する。
【００２３】
図３(ｃ)に示すように、前記釣り用浮き１４が海面２２に到達すると、釣り用錘３０は海面から所要距離だけ沈んだ状態で停止する。そして、前記軸孔３４は錘本体３６の重量均衡点Ｇより偏倚した位置に穿設されているので、錘本体３６は自身の自重によって自由懸吊状態へと逆回転する。すなわち、前記釣り用浮き１４が海面２２に浮上すると、図２(ａ)に示すように、前記錘本体３６は自重によって逆回転して自由懸吊状態へと復帰するので、道糸２４は再び捩れ状態となり、釣り用錘３６と道糸２４とが係合する。従って、釣り用錘３０は、図３(ｃ)に示すように、釣り用浮き１４が浮上した時点で道糸２４に固定されるので、適当な浮き下長さＨが自動的に確保される。
【００２４】
すなわち、第１実施例に係る釣り用錘３０によれば、浮き下調整を自動で行ない得るので、釣り人が自ら行なっていた煩雑な浮き下の調整作業をする必要がなく、該釣り人は釣りに専念することができる。また、潮流や潮の干満等によって水位が変化したり、ぬか砂ダンゴ１２が移動したりした際にも、自動的に浮き下調整が行なわれるので、釣りを中断する必要もない。更に、その構造が簡単であるので、製造コストが低廉となると共に、不具合や故障が発生し難く、また、メンテナンスも容易である。
【００２５】
また、第１実施例に係る釣り用錘３０は、前記枠体４２の上部に釣り用浮き１４を着脱自在に取付けるよう構成したので、釣りを行なう状況に合わせて、錘本体３６の重さや釣り用浮き１４のタイプを変更することが可能となる。更にまた、前記枠体４２と釣り用浮き１４との取り付け部に調整用の第２の錘６４を設けたので、釣り用錘３０と釣り用浮き１４との微妙な重量バランスを調整することが可能である。
【００２６】
(第２実施例)
図４は、第２実施例に係る釣り用錘５０を示す正面図である。なお、第１実施例の釣り用錘３０説明に際して既出の部材、部位と同一のものについては同じ符号を付し、以下説明は省略する。
【００２７】
この実施例に係る釣り用錘５０は、第１実施例の釣り用錘３０と基本的な構成は同じであって、道糸２４の挿通を許容する通孔３２と、重量均衡点Ｇより偏倚した位置に穿設された軸孔３４とを有する所要長の錘本体３６と、該錘本体３６を常には自由懸吊状態で支持する支軸３８と、錘本体３６の上方から引き出した道糸２４を下方へ案内するための糸案内４０とを有する枠体５２と、前記錘本体３６の回転を所要位置で阻止する回転阻止部５４とから構成されている。そして、前記枠体５２の上部に釣り用浮き５６が一体的に取り付けられている。
【００２８】
すなわち、釣り用錘５０は、前記枠体５２が釣り用浮き５６の下端部から延出しており、前記釣り用錘５０と釣り用浮き５６とが一体的に構成されている。従って、釣りを行なう度に釣り用錘５０を釣り用浮き５６に取付ける必要がなく、そのまま使用できる。
【００２９】
また、前記釣り用浮き５６の下端部が回転阻止部５４としての機能を有しており、図５に示すように、錘本体３６が回転し、前記下方挿入口３２ａが上方へ指向したタイミングで回転阻止部５４と当接することで、錘本体３６の回転を停止させるようになっている。なお、釣り用浮き５６の下端部に回転阻止部５４を別部材として取付けるようにしてもよい。
【００３０】
更に、釣り用錘５０は、前記錘本体３６の重量が釣り用浮き５６に要求される喫水線を維持し得る重量に設定されているので、錘本体３６の重量を調整する必要がなく、好適に釣りを行なうことができる。
【００３１】
(第３実施例)
図６は、第３実施例に係る釣り用錘６０を示す正面図である。なお、第１実施例及び第２実施例で説明した同一の部材、部位については、同じ符号を付し、以下説明は省略する。
【００３２】
釣り用錘６０は、第１実施例及び第２実施例の釣り用錘３０,５０と同様な構成であって、道糸２４の挿通を許容する通孔３２と、重量均衡点Ｇより偏倚した位置に穿設された軸孔３４とを有する所要長の錘本体３６と、該錘本体３６を常には自由懸吊状態で支持する支軸３８と、錘本体３６の上方から引き出した道糸２４を下方へ案内するための糸案内４０とを有する枠体４２と、前記錘本体３６の回転を所要位置で阻止する回転阻止部４４とから構成されている。そして、前記糸案内４０の下方には、該糸案内４０により案内された道糸２４を、更に下方へ案内する第２糸案内６２が設けられている。
【００３３】
この実施例に係る釣り用錘６０は、第１実施例の釣り用錘３０に、更に第２の糸案内６２を取付けたものであって、該第２糸案内６２は前記糸案内４０の下方に位置して道糸２４を挿通し得るよう構成されている。すなわち、この第２糸案内６２は、図６に示すように、前記枠体４２の下辺に垂設されて下方へ延出する延出部６２ａと、該延出部６２ａの下端に設けられたリング状の挿通部６２ｂとから構成されており、該糸案内４０より案内された道糸２４を、更に円滑に下方へ案内し得るよう構成されている。従って、第３実施例に係る釣り用錘６０は、２つの糸案内４０,６２が設けられて、道糸２４がより円滑に下方へ案内されるので、該道糸２４が釣り用錘６０に絡まるのを防止し得る。
【００３４】
なお、第３実施例に係る釣り用錘６０は、釣り用浮き１４と別体的に構成された場合を示したが、第２実施例の如く、釣り用浮きと一体的に構成しても構わない。
【００３５】
また、第１〜第３実施例で示した釣り用錘３０,５０,６０は、紀州釣りを行なう際に好適に使用されるが、この用途に限定されるものではなく、他の根魚釣りを行なう際にも使用することができる。また、第１〜第３実施例で示した釣り用浮き１４,５６は殊に限定がなく、従来使用されている市販の釣り用浮きを適用可能である。更に、これら釣り用錘３０,５０,６０は、実施例の如く海水のみで使用されるものでなく、湖や池等の淡水でも使用可能である。
【図面の簡単な説明】
【００３６】
【図１】第１実施例に係る釣り用錘を示す斜視図である。
【図２】図１の釣り用錘を示す側面図であって、(ａ)は錘本体が自由懸吊状態にある場合を示し、(ｂ)は錘本体が約半回転して下方挿入口を上方へ指向させた場合を示している。
【図３】図１の釣り用錘の海中での挙動を示す説明図であって、(ａ)は釣り用錘が海底へ沈んでいく状態を示し、(ｂ)は海面へ向けて浮上していく状態を示し、(ｃ)は釣り用浮きが海面まで浮上した状態を示している。
【図４】第２実施例に係る釣り用錘を示す正面図である。
【図５】図４に係る釣り用錘を示す側面図である。
【図６】第３実施例に係る釣り用錘を示す正面図である。
【図７】従来の紀州釣りを示す概略説明図であって、(ａ)適当な浮き下調整を行なった場合を示し、(ｂ)は浮き下調整を水深より短く行なった場合を示し、(ｃ)は浮き下調整を水深より長く行なった場合を示している。
【符号の説明】
【００３７】
１４  釣り用浮き
２４  道糸
３２  通孔
３４  軸孔
３６  錘本体
３８  支軸
４０  糸案内
４２  枠体(第１,第３実施例)
４４  回転阻止部
５２  枠体(第２実施例)
５４  回転阻止部
５６  釣り用浮き
６２  第２糸案内
６４  第２の錘
【図１】
2006042639.tif 000003
【図２】
2006042639.tif 000004
【図３】
2006042639.tif 000005
【図４】
2006042639.tif 000006
【図５】
2006042639.tif 000007
【図６】
2006042639.tif 000008
【図７】
2006042639.tif 000009